(57)【特許請求の範囲】
【請求項１】
遊歩中に生成されたエネルギの一部を回収することができる履物のためのソールであって、
少なくとも１つのエネルギハーベスティング手段（６）を備え、前記エネルギハーベスティング手段（６）は、第１および第２の端部（６１，６２）を有する、使用時に固定される１つの管状の本体（６０）と、前記少なくとも１つの管状の本体（６０）の中で摺動可能な１つの可動部（６３）とを備え、前記少なくとも１つのエネルギハーベスティング手段（６）は、使用時に、前記遊歩中に、前記使用時に固定される管状の本体（６０）に対する前記可動部（６３）の摺動後に電気エネルギを発生させるように設計され、前記ソールはさらに、
前記エネルギハーベスティング手段（６）のための少なくとも１つのアクチュエータ群（７）を備え、前記アクチュエータ群（７）は、流体（Ｆ）を備える少なくとも１つの第１および少なくとも１つの第２のタンク（７１，７２）を含む少なくとも１つの流体回路を備え、前記少なくとも１つの第１のタンク（７１）は、前記ソールの後方領域（２）に収容され、前記少なくとも１つの第２のタンク（７２）は、前記ソールの前方領域（３）に収容され、少なくとも１つの第１および少なくとも１つの第２の接合管（８１，８２）は、前記第１のタンク（７１）と前記少なくとも１つの管状の本体（６０）の前記第１の端部（６１）との間および前記第２のタンク（７２）と前記少なくとも１つの管状の本体（６０）の前記第２の端部（６２）との間をそれぞれ流体連通し、前記少なくとも１つのエネルギハーベスティング手段（６）の前記可動部（６３）は、前記アクチュエータ群（８１，８２）に少なくとも部分的に収容され、前記遊歩中にその中でおよび前記管状の本体（６０）の中で両方向に摺動することができ、前記ソールはさらに、
前記エネルギハーベスティング手段（６）によって生成された前記電気エネルギを蓄積／分配するための手段（１２）を少なくとも備え、前記蓄積／分配手段は、前記少なくとも１つのエネルギハーベスティング手段（６）に電気的に接続され、
前記少なくとも１つの第１のタンク（７１）は、実質的に細長く湾曲した平面形状を有することを特徴とする、ソール。
【請求項２】
前記少なくとも１つの第１のタンク（７１）の前記平面形状は、Ｕ字型である、請求項１に記載のソール。
【請求項３】
実質的にＵ字型の形状を有する前記第１のタンク（７１）は、盲端である第１の端部（７１１）を前記ソールの第１の外側部分（４）に有し、前記第１の接合管（８１）によって前記少なくとも１つの管状の本体（６０）の前記第１の端部（６１）に接続するための他端（７１２）を前記ソールの内側部分（５）に有する、請求項２に記載のソール。
【請求項４】
前記少なくとも１つの第２のタンク（７２）は、実質的に細長い平面形状を有する、請求項１から３のいずれか１項に記載のソール。
【請求項５】
実質的に細長い形状を有する前記少なくとも１つの第２のタンク（７２）は、一方の第１の盲端（７２１）を前記ソールの内側部分（５）に有し、前記第２の接合管（８２）によって前記少なくとも１つの管状の本体（６０）の前記第２の端部（６２）に接続するための他端（７２２）を前記ソールの外側部分（５）に有するように、前記ソールの前記前方領域（３）に横断的に配置される、請求項４に記載のソール。
【請求項６】
前記アクチュエータ群（７）は、前記第１のタンク（７１）と前記第２のタンク（７２）との間の直接的な流体連通のためのバイパス部（１０）を少なくとも備え、前記流体（Ｆ）は、遊歩中に前記タンク（７１，７２）において発生した圧力が、予め定められた閾値と実質的に等しくなるか、または前記タンクのうちのいずれかにおいて前記閾値よりも大きくなると流動するように設計される、請求項１から５のいずれか１項に記載のソール。
【請求項７】
前記第１のタンク（７１）と前記第２のタンク（７２）との間の直接的な流体連通のための前記バイパス部（１０）は、前記タンクの間に送出部分（１０１）と戻り部分（１０２）とを少なくとも備え、前記部分（１０１，１０２）の各々には、少なくとも弁部材（１１）が嵌挿される、請求項６に記載のソール。
【請求項８】
前記弁部材（１１）は、逆流防止タイプである、請求項７に記載のソール。
【請求項９】
前記第１のタンク（７１）と前記第２のタンク（７２）との間の直接的な流体連通のための前記バイパス部（１０）は、前記少なくとも１つの第１のタンク（７１）に接続するための前記端部（７１２）と前記少なくとも１つの第２のタンク（７２）の前方中央部（７２３）との間に構成される、請求項３に従属するときの請求項６から８のいずれか１項に記載のソール。
【請求項１０】
前記第１および前記第２の接合管（８１，８２）は、剛性材料でできている、請求項１から９のいずれか１項に記載のソール。
【請求項１１】
前記第１の接合管（８１）は、前記ソールの前方領域（３）に収容され、前記第２の接合管（８２）は、前記ソールの後方領域（２）に収容される、請求項１から１０のいずれか１項に記載のソール。
【請求項１２】
前記エネルギハーベスティング手段（６）によって生成された前記電気エネルギの前記蓄積／分配手段（１２）は、前記少なくとも１つの第１のタンク（７１）の下方の前記ソールの後方領域（２）に収容される、請求項１から１１のいずれか１項に記載のソール。
【請求項１３】
前記蓄積／分配手段（１２）に動作可能に接続され、前記ソールを少なくとも１つの電子機器に接続するための入力／出力手段を少なくとも備える、請求項１から１２のいずれか１項に記載のソール。
【請求項１４】
前記入力／出力手段は、ＵＳＢポートを少なくとも備える、請求項１３に記載のソール。
【請求項１５】
前記エネルギハーベスティング手段（６）によって生成された前記電気エネルギの前記蓄積／分配手段（１２）は、前記ソールに収容された家庭用電子機器に直接接続される、請求項１から１４のいずれか１項に記載のソール。
【請求項１６】
前記家庭用電子機器は、補助的な家庭用電子機器にリモート接続可能なＧＰＳ、または１つ以上の加速度計、または１つ以上のセンサ、または１つ以上のＳＯＣ、またはＭＰ３プレーヤ、またはそれらの組み合わせを含む、請求項１５に記載のソール。
【請求項１７】
前記補助的な家庭用電子機器は、１つ以上のＬＥＤライトおよび／またはコンピュータおよび／またはスマートフォンおよび／またはスマートウォッチおよび／またはワイヤレスヘッドホンを含む、請求項１６に記載のソール。
【発明の詳細な説明】
【技術分野】
【０００１】
発明の技術分野
本発明は、遊歩中に生成されたエネルギの一部を回収することができる履物のためのソールに関する。
【背景技術】
【０００２】
先行技術の水準
本明細書および以下の特許請求の範囲において、「遊歩」という総称は、人によって行われるウォーキングまたはランニングの動作を意図しており、「ソール」という総称は、靴自体のアウトソールおよびインソールを備える靴の部分を意図している。
【０００３】
技術水準において、いわゆる「エネルギハーベスタ」（簡単に言えばＥＨ）が知られており、当該エネルギハーベスタは、利用可能なエネルギを直接使用できるようにする目的で１つの環境に蓄えておくことができる。周知の一例は、太陽エネルギを、例えば計算機または時計または他の電子機器を動作させるための直接使用可能なエネルギに変換する目的で、当該太陽エネルギを蓄えておく太陽電池によって代表される。
【０００４】
当該技術分野において利用可能なエネルギハーベスタは、特定の用途に応じてさまざまなタイプがある。履物の分野では、足による靴底に対する圧力変動の形態で遊歩中に発生したエネルギを直接使用できるようにする目的で蓄えておくことができるエネルギハーベスタが、最近では提案されている。
【０００５】
このタイプのハーベスタは、例えばインステップ・ナノパワーという米国の企業によって提案されている。
【０００６】
１つのこのようなハーベスタは、遊歩中の足によるソールに対する圧力変動に応答して、それぞれのアクチュエータ群によって作動される。アクチュエータ群は、ハーベスタの端部に接続された流体回路を備えている。
【０００７】
しかし、現在のところ、１つのこのようなハーベスタは、遊歩中に生成されたエネルギを最小限しか蓄えておくことができず、その結果、ハーベスタによって回収されるエネルギの量は、実際には、例えばハーベスタ自体に直接的にまたはリモートで接続された電子機器の電力供給を可能にするのに十分ではない。
【０００８】
これは、さまざまな要因に起因している。まず、流体回路は、そのままでは、遊歩中に生成された十分な量のエネルギを電気エネルギに変換できるような態様でエネルギハーベスタ上で動作させることができないという事実に起因している。
【０００９】
したがって、ハーベスタによって生成されて好適な蓄積／分配手段によって蓄積された電気エネルギは、非常に制限された電力で、すなわち１〜２ワットまでの約数ｍワットでさえ動作する電子機器の電力供給にとって十分ではないということになる。
【００１０】
したがって、このタイプの従来のソールに対してより効率的な態様で、遊歩中に生成されたエネルギを回収することができる履物のためのソールを提供する必要がある。
【００１１】
また、これまでに提案されたものに対して代替的な構成を有する、遊歩中に生成されたエネルギの一部を回収することができる履物のためのソールを提供する必要がある。
【発明の概要】
【発明が解決しようとする課題】
【００１２】
発明の目的
したがって、本発明の主な目的は、エネルギハーベスティング装置の分野、特に履物の分野における技術水準を向上させることである。
【００１３】
本発明の別の目的は、従来から提案されているこのタイプのソールに対してより効率的な態様で、遊歩中に生成されたエネルギを回収することができる履物のためのソールを提供することである。
【００１４】
本発明のさらに別の目的は、新世代の電子機器の電力供給を直接的にもリモートでも可能にする履物のためのソールを提供することである。
【００１５】
本発明のさらなる目的は、従来から提案されているこのタイプの履物のソールの構成に対して代替的な構成を有する、遊歩中に生成されたエネルギを回収することができる履物のためのソールを提供することである。
【００１６】
本発明のさらなる目的は、競争力のあるコストで容易に得られる、遊歩中に生成されたエネルギを回収することができる履物のためのソールを提供することである。
【課題を解決するための手段】
【００１７】
本発明の第１の局面に従って、請求項１に記載の遊歩中に生成されたエネルギを回収することができる履物のためのソールが提供される。
【００１８】
遊歩中に生成されたエネルギを回収することができる履物のためのソールのさらなる有利な特徴は、従属請求項に記載されている。
【００１９】
本発明の他の特徴および利点は、同封の図面に単に非限定的な例として示されている、遊歩中に生成されたエネルギを回収することができる履物のためのソールの実施例の説明からより明らかになるであろう。
【図面の簡単な説明】
【００２０】
【図１】本発明に係る履物のためのソールの、透明な部分を有する側面斜視図である。
【図２】図１の履物のためのソールの、透明な部分を有する側面図である。
【図３】構成要素を持たない図１の履物のためのソールの、透明な部分を有する側面斜視図である。
【図４】図３のソールに収容可能な構成要素の、透明な部分を有する側面斜視図である。
【図５】本発明に係る履物のためのソールのアクチュエータ群の一部の、透明な部分を有する側面斜視図である。
【図６】本発明に係る履物のためのソールのエネルギハーベスタおよびアクチュエータ群の一部の、透明な部分を有する側面斜視図である。
【図７】本発明に係る履物のためのソールの平面図である。
【図８ａ】足の着地中に本発明に係るソールによって回収可能な電圧およびパワーの経過のグラフである。
【図８ｂ】足の着地中に本発明に係るソールによって回収可能な電圧およびパワーの経過のグラフである。
【発明を実施するための形態】
【００２１】
発明の実施例
同封の図面を参照して、本発明に係る履物のためのソール、示されている例では左の靴のソールは、全体として参照番号１で示されており、かかとのサポートに使用されるように設けられた後方領域２と、足の前方部分のサポートに使用されるように設けられた前方領域３と、外側部分４と、内側部分５とを有していることが観察されるであろう。
【００２２】
本発明に係るソールは、以下に記載されるように、遊歩中に生成されたエネルギの少なくとも一部を電気エネルギに変換することに使用されるよう意図された少なくとも１つのエネルギハーベスティング手段６を備えている。
【００２３】
このようなエネルギハーベスタ６は、例えばＷＯ２０１４／０２８７９９（特にこのような文献の図３を参照する）に示されているタイプのものであり、第１の端部６１および第２の端部６２を有する、使用中に固定される管状の本体６０を備えている。
【００２４】
エネルギハーベスタ６は、管状の本体６０に摺動可能に挿入される可動部または本体６３をさらに備えている。ハーベスタ６の可動部または本体６３は、公知であるように、接合されて鎖を形成する複数の磁石６３１，６３２…から成っている。
【００２５】
エネルギハーベスタ６は、好ましくはソールの中央部において、このような目的で設けられた収容座４５（図３を参照）に収容されている。
【００２６】
より特定的には、エネルギハーベスタ６の本体６０は、長手方向に延びており、その第１の端部６１をソールの外側側方前方領域に有し、その他端、すなわち第２の端部６２をソールの内側側方後方領域に有している。
【００２７】
本発明に係るソールは、エネルギハーベスタ６を動作させるための少なくとも１つのアクチュエータ群７をさらに備えている。
【００２８】
アクチュエータ群７は、第１の接合管８１によってエネルギハーベスタ６の管状の本体６０の第１の端部６１と流体連通する少なくとも１つの第１の流体タンク７１を含む流体回路を備えている。
【００２９】
また、アクチュエータ群は、第２の接合管８２によってエネルギハーベスタ６の管状の本体６０の第２の端部６２と流体連通するように配置された第２の流体タンク７２を備えている。
【００３０】
図１および図２に見られるように、エネルギハーベスタ６の可動部６３は、管状の本体６０の長手方向の広がりよりも大きな長手方向の広がりを有しており、図面に示されている例では、このような長手方向の広がりは、管状の本体の約二倍であるため、可動部６３は、アクチュエータ群７の接合管８１および／または８２に部分的に収容される。
【００３１】
エネルギハーベスタ６の可動部６３は、使用中に第１のタンク７１の方にも第２のタンク７２の方にも摺動可能であって、管状の本体６０ならびにアクチュエータ群７の接合管８１および８２に収まるように設けられている。
【００３２】
有利なことに、アクチュエータ群７の第１のタンク７１は、ソールの後方領域２に収容されており、実質的に細長く湾曲した平面形状、示されている実施例ではＵ字型の平面形状を有している。より特定的には、このようなタンク７１は、その盲端７１１をソールの外側部分４に有し、管状の本体６０の第１の端部６１と接続するためのその他端７１２をソール自体の内側部分５に有するような態様で、ソールの後方領域２に配置されている。第１のタンク７１と第１の端部６１との間の流体接続は、流体シールコネクタ９１によりタンクに接続された第１の接合管８１によって行われる。
【００３３】
本発明に係るソールの第２のタンク７２は、ソールの前方領域３に収容されており、実質的に細長い平面形状、より特定的には示されている例では多角形、長方形または平行四辺形の平面形状を有している。このような第２のタンク７２は、その盲端７２１をソールの内側部分５に有し、管状の本体６０の第２の端部６２と接続するためのその他端７２２を上記ソールの外側部分４に有するような態様で、前方領域３に横断的に配置されて、ソールに収容されている。タンク７２の盲端７２１は、他端７２２に対してソールの中により進入している。
【００３４】
第２のタンク７２と第２の端部６２との間の流体接続は、流体シールコネクタ９２によりタンクに接続された第２の接合管８２によって行われる。
【００３５】
本発明に係る靴では、第１および第２のタンク７１および７２は、流体Ｆ、好ましくは水またはグリセリンなどの不活性の非毒性の液体を入れるように設けられている。また、タンクは、軟質プラスチック材料、例えば熱可塑性ポリウレタンでできており、遊歩中に足の重量を受けて圧縮されるよう意図されている。
【００３６】
接合管８１および８２は、その代わりにより剛性の材料、例えばナイロンでできており、ソールの前方領域３および後方領域２にそれぞれ収容されている。接合管８１および８２は、このような目的で得られる収容座３０および２０にそれぞれ収容されたソールのそれぞれの部分において、実質的にソールの外周端縁に沿って延ばされている。
【００３７】
上記のように、アクチュエータ群７の第１および第２の接合管８１および８２は、シールコネクタ９１および９２によってそれぞれのタンクと流体接続している。したがって、タンクに入っている流体Ｆは、エネルギハーベスタ６の可動本体６３の端部をぬらす。可動本体６３は、管８１および８２のサイズに合わせて摺動し、したがって管８１および８２は、好適なサイズを有し、可動本体と管自体との間の摩擦を最小化する好適な材料で（少なくともそれらの内面が）できていることになる。
【００３８】
１つのこのような構成では、遊歩中に、かかと着地局面中の足によるソールに対する力により第１のタンク７１が圧縮されると、その中に入っている流体Ｆは、タンクの接続端７１２の方に、および接合管８１によってハーベスタの第１の端部６１の方に、効果的に押される。次いで、流体Ｆは、ハーベスタ内の可動本体６３を第２のタンク７２の方に押す。
【００３９】
逆に、足の前方部分の着地局面中であって、足を地面から持ち上げる前に、足によるソールに対する力がソールの後方領域２から前方領域３に伝わると、第２のタンク７２が圧縮され、その中に入っている流体Ｆが押されて、タンク自体の接続端７２２の方に、および接合管８２によってハーベスタ６の管状の本体６０の第２の端部６２の方に、戻る。この流体Ｆの移動により、ハーベスタ６内の可動本体６３が第１のタンク７１の方に摺動する。
【００４０】
したがって、ハーベスタの管状の本体６０での可動本体６３の一方の方向および他方の方向への摺動が引き起こされ、これにより、文献ＷＯ２０１４／０２８７９９に記載されている公知の態様で、ファラデーの電磁誘導の法則に従って電気エネルギを発生させることができる。
【００４１】
第１および第２のタンク７１および７２（より特定的には第１のタンク７１）の特定の構成、ソールにおけるそれらの配置、ならびにそれぞれの流体接続端７１２および７２２の位置により、遊歩中のアクチュエータ群７内での流体Ｆの推進推力を最適化することができる、ということを当業者は容易に理解するであろう。公知であるように、遊歩中、足は、実際には一種の「Ｓ」を示すいわゆる「回内」線に沿って、まずかかとの外側後方部分が着地し、その後、中央部分および前方部分が着地する。
【００４２】
ハーベスタ６およびアクチュエータ群７の配置により、流体ＦはこのＳ字状の線を辿ることができ、そのため、ハーベスタ６の可動本体上の推力、したがってこのような推力の電気エネルギへの変換が最適化される。
【００４３】
有利なことに、本発明に係るソールは、第１のタンク７１と第２のタンク７２との間の直接的な流体連通のためのバイパス部１０を備えている。このようなバイパス部１０は、タンク内の圧力を調整するための群の役割を果たす。実際、いくつかの状況においては、まれにではあるが、アクチュエータ群７の第１のタンク７１および第２のタンク７２に対して同時にもたらされる圧力は、同一の時間間隔ではほぼ同一であり、その結果、タンクに入っている流体Ｆは、一方のタンクと他方のタンクとの間を実質的に移動せず、そのため、エネルギハーベスタ６の可動本体６３で推力が発生しない。したがって、遊歩により生成されたエネルギは、電気エネルギに変換されない。
【００４４】
この状況を克服して、本発明に係るソールが、電気エネルギに変換することによって遊歩により生成されたエネルギをいかなる作業条件でも利用できるようにするために、アクチュエータ群７のバイパス部は、タンク７２と７１との間に少なくとも１つの送出部分１０１と少なくとも１つの戻り部分１０２とを備え、各部分には、好ましくは逆流防止タイプの弁手段１１が取付けられている。バイパス部１０は、第１のタンク７１の接続端７１２と第２のタンク７２の前方中央部７２３との間に有利に設けられている。バイパス部１０は、タンク７１および７２で使用されるのと同一の材料でできており、好ましくはそれらと一体である。
【００４５】
本発明に係るソールのバイパス部１０は、圧力がタンク間で実質的に等しいか、またはタンクのうちの１つにおいて高すぎる、例えば予め定められた閾値よりも高い場合にのみ流体Ｆを通すことができるように設けられている。ソールの通常の作業条件では、流体が送出および戻り部分１０１および１０２に流れることはない。
【００４６】
流体がバイパス部１０に流れることにより、タンク間の流体Ｆの量および関係のある圧力の調整が可能になり、その結果、遊歩中は、エネルギハーベスタ６の可動本体６３は常に、固定された本体６０に対して流体Ｆによって動かされ、遊歩によって生成されたエネルギは常に電気エネルギに変換される。
【００４７】
バイパス部１０の１つのこのような構成により、タンクのシール、したがってシステムの機能を損なうリスクが劇的に低減されることも観察されるであろう。
【００４８】
本発明に係る履物のためのソールは、エネルギハーベスタ６によって生成された電気エネルギを蓄積／分配する手段１２（図７を参照）も備えている。このような蓄積／分配手段は、当業者に公知の態様でエネルギハーベスタ６に電気的に接続され、図８に一例として示されているように、０．１〜１ＫＨｚの可変周波数、低電圧および低出力インピーダンスでエネルギを送出することを可能にする。当該手段は、後方部分２におけるソールに設けられ、例えば図７に示されるようにソール自体によって支持され、その中に設けられたそれぞれの収容座に、例えば第１のタンク７１の下方に収容されている。
【００４９】
このような蓄積／分配手段１２は、ソールを電子機器に接続するための、図面に図示されていない入力／出力手段に電気的に接続されている。入力／出力手段は、例えば、ソールまたはアッパー部分の別の好適な場所に公知の態様で有利に収容されたＵＳＢポートを備え得る。
【００５０】
また、エネルギハーベスタ６によって生成された電気エネルギを蓄積／分配するための手段１２は、やはりソールに収容される家庭用電子機器（やはり図面には図示せず）に直接接続され得る。このような機器は、例えば、補助的な家庭用電子機器に好ましくはリモートで接続可能なＧＰＳ、または１つ以上の加速度計、または１つ以上のセンサ、または１つ以上のＳＯＣ（システムオンチップ）、またはＭＰ３プレーヤ、または考えられるそれらの組み合わせを備え得て、当該補助的な家庭用電子機器は、１つ以上のＬＥＤライトおよび／またはコンピュータおよび／またはスマートフォンおよび／またはスマートウォッチおよび／またはＭＰ３プレーヤの場合にはワイヤレスヘッドホンなどである。
【００５１】
ここで、本発明に係るソールのエネルギを蓄積／分配するための手段１２に戻って、図面に図示されていないソールの一変形例によれば、エネルギハーベスティング手段６の代わりに、複数のこのようなエネルギハーベスティング手段６が設けられており、当該手段６は、互いに直列に配置され、各々がエネルギを蓄積／分配するための手段１２に電気的に接続されている。
【００５２】
やはり図面に図示されていないさらなる変形例によれば、エネルギハーベスティング手段６は、管状の本体６０を形成するように互いに直列に配置された複数の管状のセクションまたはセグメントを備え得る。上記のように、可動部または本体６３は、このようなセクションまたはセグメントに摺動可能に挿入される。複数のセクションまたはセグメントの各セクションまたはセグメントは、エネルギを蓄積／分配するための手段１２に電気的に接続されている。
【００５３】
両方の変形例において、エネルギを蓄積／分配するための手段１２は、好ましくはＭＯＳおよび比較器を有するアクティブタイプの複数の整流器手段を有利に備えており、当該複数の整流器手段の各々は、それぞれのエネルギハーベスタ６またはそのセクションもしくはセグメントの下流に配置され、セレクタ群またはＭＵＸによってさらに電気的に制御される。エネルギハーベスティング手段６が整流後に例えば約３Ｖ未満の電圧を電気パルスに与える場合には、考えられる電荷ポンプスイッチングレギュレータがセレクタ群の下流に存在していてもよい。
【００５４】
この構成により、エネルギハーベスタ群６によって放出された、遊歩から回収されたエネルギの量を最大化することができる。実際、実験的試験は、１つのこのような構成により、各々のエネルギハーベスタ６によって送出されるエネルギのうち約８０％を回収して利用可能にすることができることを実証している。
【００５５】
エネルギを蓄積／分配するための手段１２は、アキュムレータ手段をさらに備え、当該アキュムレータ手段は、セレクタ群および考えられるレギュレータの下流に電気的に接続され、専門用語で「スーパーキャップ」と称されるスーパーキャパシタと、ポリマ／リチウムイオンタイプ（またはその他の好適なタイプ）のバッテリとを有利に備えている。
【００５６】
スーパーキャパシタは、バッテリのための緩衝器の役割を果たし、高電圧および電流ピークによる影響を軽減し、相当なエネルギを失うことなく、かなり高い（およそ数十アンペアである）ことさえある電流パルスを素早く（バッテリよりもはるかに速く）蓄積するように、非常に低い入力インピーダンスを提供する。次いで、「スーパーキャップ」は、電流が制限された状態（およそ数百ｍＡ）で連続的な態様で一時的に蓄積されたエネルギをバッテリに提供する。
【００５７】
アキュムレータ手段は、エネルギハーベスティング手段６によって送出されたエネルギを効果的に蓄積することを可能にし、上記のタイプの電子機器が当該エネルギを要求電圧で常に利用できるようにする。
【００５８】
上記の目的は、上記の履物のためのソール、特にアクチュエータ群７の特定の構成および上記の磁石６３１，６３２…を有するタイプのエネルギハーベスタ６へのその特定の接続によって、ならびに、上記の整流器手段とスーパーキャップおよびリチウムバッテリを有するアキュムレータ手段とを備える蓄積／分配手段１２へのエネルギハーベスタ６の接続によって達成されることが観察されるであろう。
【００５９】
上記の履物のためのソールは、以下の特許請求の範囲の保護範囲内で多数の変更および変形が可能である。
【００６０】
したがって、例えば、左の靴を念頭に置くことによって本発明に係るソールについて説明してきたが、当然のことながら、この説明は、変更すべきところは変更して、右の靴のための対応するソールにも当てはまる。
【図１】
0006498277.tif 000002
【図２】
0006498277.tif 000003
【図３】
0006498277.tif 000004
【図４】
0006498277.tif 000005
【図５】
0006498277.tif 000006
【図６】
0006498277.tif 000007
【図７】
0006498277.tif 000008
【図８ａ】
0006498277.tif 000009
【図８ｂ】
0006498277.tif 000010